(57)【要約】【課題】  テントおよび寝袋をそれぞれ折り畳んで収納する手間を低減することが可能なテントを提供すること。【解決手段】  テント１は、寝袋６が着脱可能に連結されるテント本体２を備える。テント本体２は、フレームと、フレームに張設されるシート４とを備え、寝袋６は、シート４にファスナーを介して着脱可能に連結される。これにより、寝袋６がテント本体２に連結されるため、テント１および寝袋６をそれぞれ折り畳んで収納する手間を低減することが可能となる。なお、寝袋６を洗濯する場合などは、寝袋６をテント本体２から取り外すことが可能であるため、利便性に優れる。【選択図】      図４
0003229516.tif 000002
【実用新案登録請求の範囲】
【請求項１】
寝袋が着脱可能に連結されるテント本体を備えたテントであって、
前記テント本体は、フレームと、前記フレームに張設されるシートとを備え、
前記寝袋は、前記シートにファスナーを介して着脱可能に連結される
テント。
【請求項２】
前記シートは、底面部と、前記底面部と一体で形成され且つ前記底面部の縁から上方へ延びる立ち上がり部と、を有し、
前記寝袋は、平面視で矩形形状を有し、
前記ファスナーは、前記シートの前記立ち上がり部に設けられたテント本体側エレメントと、前記寝袋の側縁部に沿って設けられた寝袋側エレメントと、を有し、
前記テント本体側エレメントと前記寝袋側エレメントとが噛み合うことによって、前記寝袋が前記シートに連結される
請求項１に記載のテント。
【請求項３】
前記シートの前記立ち上がり部は、間隔を空けて対向して一対に配置され、
前記テント本体側エレメントは、一対の前記立ち上がり部のそれぞれに設けられ、
前記寝袋側エレメントは、前記寝袋の両側の側縁部に沿って設けられた
請求項２に記載のテント。
【考案の詳細な説明】
【技術分野】
【０００１】
本考案は、テントに関する。
【背景技術】
【０００２】
従来、キャンプなどのアウトドア用品としてのテントが公知である（例えば、特許文献１）。特許文献１に記載のテントは、テント本体にベッドが固定されている。なお、近年は、アウトドアブームに伴って一人用のソロテントが普及している。このソロテントは、小さめのテントであり、テント内の底面部に寝袋を敷いて使用する。
【先行技術文献】
【特許文献】
【０００３】
【特許文献１】特開平９−２２１９４０号公報
【考案の概要】
【考案が解決しようとする課題】
【０００４】
しかしながら、従来は、テントと寝袋とが別体のため、テントおよび寝袋をそれぞれ折り畳んで収納する手間が面倒であった。
【０００５】
本考案の目的は、テントおよび寝袋をそれぞれ折り畳んで収納する手間を低減することが可能なテントを提供することである。
【課題を解決するための手段】
【０００６】
前述した課題を解決し、目的を達成するために、本考案の一態様に係るテントは、寝袋が着脱可能に連結されるテント本体を備えたテントであって、前記テント本体は、フレームと、前記フレームに張設されるシートとを備え、前記寝袋は、前記シートにファスナーを介して着脱可能に連結される。
【考案の効果】
【０００７】
本考案のテントには、寝袋が着脱可能に連結される。従って、テントおよび寝袋をそれぞれ折り畳んで収納する手間を低減することが可能となる。
【図面の簡単な説明】
【０００８】
【図１】図１は、実施形態によるテントの全体の斜視図である。
【図２】図２は、図１のテントの内部の一部を示す斜視図である。
【図３】図３は、実施形態による寝袋の斜視図である。
【図４】図４は、実施形態によるテントおよび寝袋の断面を示した模式図である。
【図５】図５は、実施形態によるテントと寝袋との連結部を拡大した斜視図である。
【考案を実施するための形態】
【０００９】
本考案を実施するための実施形態について、図面を参照しつつ詳細に説明する。以下の実施形態に記載した内容により本考案が限定されるものではない。また、本考案の要旨を逸脱しない範囲で構成の種々の省略、置換又は変更を行うことができる。なお、図面において、Ｘ方向はテントの左右方向、Ｙ方向はテントの前後方向、Ｚ方向はテントの高さ方向である。Ｘ方向とＹ方向とは互いに直交し、Ｚ方向はＸ方向及びＹ方向に直交する。Ｘ１方向は、テントに向かって右方向を示し、Ｘ２方向は、テントに向かって左方向を示す。Ｙ１方向は、テントに向かって奥の方向を示し、Ｙ２方向は、テントに向かって手前方向を示す。Ｚ１方向は、テントの上方向を示し、Ｚ２方向は、テントの下方向を示す。
【００１０】
図１は、実施形態によるテントの全体の斜視図である。図２は、図１のテントの内部の一部を示す斜視図である。
【００１１】
図１に示すように、テント１は、テント本体２を備え、テント本体２は、フレーム３と、フレーム３に張設されるシート４および補助シート５とを備える。
【００１２】
フレーム３は、テント１の全体を支持する複数の骨格部材である。シート４は、フレーム３に張設される。シート４は、可撓性を有する薄い部材であり、例えば樹脂製のシートである。また、テント１には、正面から見て三角形状の入口１０が開口している。この入口１０は、補助シート５で封止されている。即ち、シート４の入口１０の周縁部１１にファスナーが設けられており、当該ファスナーを介して三角形の補助シート５がシート４に連結される。なお、補助シート５は、点ハッチングで示される。
【００１３】
図２に示すように、シート４は、底面部４１と、立ち上がり部４２と、を有する。立ち上がり部４２は、底面部４１と一体で形成される。また、立ち上がり部４２は、底面部４１の縁４１１から上方へ延びる。立ち上がり部４２については、詳細に後述する。
【００１４】
図３は、実施形態による寝袋の斜視図である。図３に示すように、実施形態による寝袋６は、平面視で略台形形状である。寝袋６は、本体部６１と、延設部６２とを備える。寝袋６において、Ｘ１側が頭側であり、Ｘ２側が足側である。
【００１５】
本体部６１は、第１縁６１１と、第２縁６１２と、第３縁６１３と、第４縁６１４と、を有する。第１縁６１１および第２縁６１２は、側縁部である。具体的には、第１縁６１１はＹ１側の縁であり、第２縁６１２はＹ２側の縁である。使用者が寝袋６に寝た場合、第１縁６１１が右側に位置し、第２縁６１２が左側に位置する。第３縁６１３はＸ１側の縁であり、第４縁６１４はＸ２側の縁である。使用者が寝袋６に寝た場合、第３縁６１３が頭側に位置し、第４縁６１４が足側に位置する。延設部６２は、本体部６１に対してＸ２側に固定される。延設部６２は、Ｘ１側の縁６２１と、Ｘ２側の縁６２２と、を有する。
【００１６】
ここで、第１縁６１１には、寝袋側エレメント７１Ａが設けられる。実施形態では、寝袋側エレメント７１Ａは、第１縁６１１のＸ方向の全長に亘って取り付けられている。また、第２縁６１２には、寝袋側エレメント７２Ａが設けられる。実施形態では、寝袋側エレメント７２Ａは、第２縁６１２のＸ方向の全長に亘って取り付けられている。つまり、寝袋側エレメント７１Ａ、７２ＡのＸ方向の長さはＤ３である。
【００１７】
そして、本体部６１における第３縁６１３のＹ方向の長さはＤ１であり、本体部６１における第４縁６１４のＹ方向の長さはＤ２である。長さＤ１は、長さＤ２よりも長いため、本体部６１は平面視で台形である。なお、本体部６１におけるＸ方向の長さはＤ３であり、延設部６２を含めた寝袋６の全体のＸ方向の長さはＤ４である。
【００１８】
図４は、実施形態によるテントおよび寝袋の断面を示した模式図である。具体的には、寝袋６がテント１の立ち上がり部４２に連結された状態を示す。
【００１９】
図４に示すように、テント１の底部には、寝袋６が載置される。前述したように、寝袋６のＹ１側には寝袋側エレメント７１Ａが設けられ、Ｙ２側には寝袋側エレメント７２Ａが設けられる。
【００２０】
一方、シート４には、前述したように、底面部４１の縁４１１から上方へ延びる立ち上がり部４２が設けられる。また、図５に示すように、立ち上がり部４３は、立ち上がり部４２に対してＹ方向に間隔を空けて対向して一対に配置される。つまり、立ち上がり部４２は、底面部４１のＹ１側の縁４１１から上方へ延びる。立ち上がり部４３は、底面部４１のＹ２側の縁４２１から上方へ延びる。そして、立ち上がり部４２と立ち上がり部４３とは、Ｙ方向に対向した状態で離隔されている。
【００２１】
立ち上がり部４２には、テント本体側エレメント７１が設けられ、立ち上がり部４３には、テント本体側エレメント７２が設けられる。テント本体側エレメント７１、７２は、縁４１１、４２１から高さＨ（図２参照）の位置に配置される。また、テント本体側エレメント７１、７２のＸ方向に沿った長さは、寝袋側エレメント７１Ａ、７２Ａの長さと略同一である。
【００２２】
図５は、実施形態によるテントと寝袋との連結部を拡大した斜視図である。図５に示すように、ファスナーはスライダー７０を備える。図４および図５に示すように、テント本体側エレメント７１と寝袋側エレメント７１Ａとが噛み合うことによって、寝袋６の第１縁６１１がシート４の立ち上がり部４２に連結される。また、図４に示すように、テント本体側エレメント７２と寝袋側エレメント７２Ａとが噛み合うことによって、寝袋６の第２縁６１２がシート４の立ち上がり部４３に連結される。
【００２３】
以上の構成を有する実施形態に係るテント１は、寝袋６が着脱可能に連結されるテント本体２を備えたテント１であって、テント本体２は、フレーム３と、フレーム３に張設されるシート４とを備え、寝袋６は、シート４にファスナーを介して着脱可能に連結される。
【００２４】
前述したように、従来は、テントと寝袋とが別体のため、テントおよび寝袋をそれぞれ折り畳んで収納する手間が面倒であった。しかし、本考案では、寝袋６がテント本体２に連結されるため、テント１および寝袋６をそれぞれ折り畳んで収納する手間を低減することができると共に、テント１と寝袋６を一緒に収納できる。即ち、テント１と寝袋６を別々に持ち運ぶと２つの収納袋が必要となるが、本考案ではテント１と寝袋６とが結合しているために、１つの収納袋を持ち運びすればよいので、コンパクトかつ利便性のあるソロテントとなる。なお、寝袋６を洗濯する場合などは、寝袋６をテント本体２から取り外すことが可能であるため、より利便性に優れる。
【００２５】
シート４は、底面部４１と、底面部４１と一体で形成され且つ底面部４１の縁４１１、４２１から上方へ延びる立ち上がり部４２、４３と、を有し、寝袋６は、平面視で矩形形状を有し、ファスナーは、シート４の立ち上がり部４２、４３に設けられたテント本体側エレメント７１、７２と、寝袋６の側縁部に沿って設けられた寝袋側エレメント７１Ａ、７２Ａと、を有し、テント本体側エレメント７１、７２と寝袋側エレメント７１Ａ、７２Ａとが噛み合うことによって、寝袋６がシート４に連結される。
【００２６】
テント本体側エレメント７１、７２は、シート４の立ち上がり部４２、４３に設けられ、底面部４１から上側に配置される。従って、テント本体側エレメント７１、７２に寝袋側エレメント７１Ａ、７２Ａを噛み合わせる作業が容易になる。即ち、テント本体側エレメント７１、７２に寝袋側エレメント７１Ａ、７２Ａを噛み合わせる際に、寝袋６の下側に手を挿入することが可能であるため、寝袋６とシート４との連結の作業が容易になる。
【００２７】
シート４の立ち上がり部４２、４３は、間隔を空けて対向して一対に配置され、テント本体側エレメントは、一対の立ち上がり部４２、４３のそれぞれに設けられ、寝袋側エレメントは、寝袋６の両側の側縁部に沿って設けられた。
【００２８】
このように、寝袋６の左右両側がテント本体２に連結可能であるため、寝袋６の左右の片側がテント本体２に連結される場合と比較して、寝袋６の形状が乱れない。
【符号の説明】
【００２９】
１  テント
２  テント本体
３  フレーム
４  シート
４１  底面部
４１１、４２１  縁
４２、４３  立ち上がり部
６  寝袋
７１、７２  テント本体側エレメント
７１Ａ、７２Ａ  寝袋側エレメント
【図１】
0003229516.tif 000003
【図２】
0003229516.tif 000004
【図３】
0003229516.tif 000005
【図４】
0003229516.tif 000006
【図５】
0003229516.tif 000007